(57)【要約】【課題】スプリアスノイズが重畳したキャリアを高精度に検出することができる受信装置および受信方法を提供すること。【解決手段】実施形態の一態様に係る受信装置は、受信部と、ＭＥＲ算出部と、検出部とを備える。受信部は、ＯＦＤＭ変調された放送信号を受信する。ＭＥＲ算出部は、受信部によって受信された放送信号のＭＥＲ値を放送信号のキャリア毎に算出する。検出部は、放送信号に含まれるＳＰ信号の電力から推定した放送信号の伝送路に応じて変化する電力に基づいて、ＭＥＲ値の推定値をキャリア毎に算出し、推定値とＭＥＲ値とに基づいて、スプリアスノイズが重畳したキャリアを検出する。【選択図】図１
2014199996.tif 000002
【特許請求の範囲】
【請求項１】
ＯＦＤＭ（Orthogonal  Frequency  Division  Multiplexing）変調された放送信号を受信する受信部と、
前記受信部によって受信された前記放送信号のＭＥＲ（Modulation  Error  Ratio）値を該放送信号のキャリア毎に算出するＭＥＲ算出部と、
前記放送信号に含まれるＳＰ（Scattered  Pilot）信号の電力から推定した前記放送信号の伝送路に応じて変化する電力に基づいて、前記ＭＥＲ値の推定値を前記キャリア毎に算出し、該推定値と前記ＭＥＲ値とに基づいて、スプリアスノイズが重畳したキャリアを検出する検出部と
を備えることを特徴とする受信装置。
【請求項２】
前記受信部によって受信される前記放送信号の電力が適切な範囲に収まるように、該電力の利得を自動調整するＡＧＣ（Automatic  Gain  Controller）
をさらに備え、
前記検出部は、
前記ＡＧＣによって前記利得が自動調整される場合、前記ＭＥＲ値、前記ＭＥＲ値の推定値、および、前記利得に基づいて、前記スプリアスノイズが重畳したキャリアを検出する
ことを特徴とする請求項１に記載の受信装置。
【請求項３】
前記放送信号の尤度を前記キャリア毎に算出し、該尤度に基づいて前記放送信号の誤り訂正を前記キャリア毎に行う誤り訂正部
をさらに備え、
前記誤り訂正部は、
前記検出部によって前記スプリアスノイズが重畳したキャリアが検出された場合に、該キャリアの尤度を他のキャリアよりも下げて前記誤り訂正を行う
ことを特徴とする請求項１または請求項２に記載の受信装置。
【請求項４】
前記受信部、前記ＭＥＲ算出部、および、前記検出部を有する複数のブランチと、
前記複数のブランチによって受信される前記放送信号を合成する合成部と
をさらに備え、
前記合成部は、
前記検出部によって前記スプリアスノイズが重畳したキャリアが検出された場合に、該キャリアを含む放送信号が合成後の放送信号に占める割合を低減させる
ことを特徴とする請求項１〜３のいずれか一つに記載の受信装置。
【請求項５】
ＯＦＤＭ変調された放送信号を受信する工程と、
受信された前記放送信号のＭＥＲ値を該放送信号のキャリア毎に算出する工程と、
前記放送信号に含まれるＳＰ信号の電力から推定した前記放送信号の伝送路に応じて変化する電力に基づいて、前記ＭＥＲ値の推定値を前記キャリア毎に算出し、該推定値と前記ＭＥＲ値とに基づいて、スプリアスノイズが重畳したキャリアを検出する工程と
を含むことを特徴とする受信方法。
【発明の詳細な説明】
【技術分野】
【０００１】
開示の実施形態は、受信装置および受信方法に関する。
【背景技術】
【０００２】
従来、ＤＴＶ（デジタルテレビジョン）の放送信号は、ＯＦＤＭ（Orthogonal  Frequency  Division  Multiplexing）方式に準拠している。ＯＦＤＭ方式は、互いに直交する複数のキャリア（搬送波）を用いて、複数のデータを並列的に送信することにより通信効率を向上させた信号変調方式である。
【０００３】
また、ＤＴＶの放送信号を移動受信装置で受信する受信方式として、ダイバーシティ受信が広く知られている。ダイバーシティ受信を行う受信装置は、複数のアンテナによって並行して放送信号を受信し、受信状態の良好な放送信号の成分ほど多く含まれるように、各放送信号を合成することによって、移動中における放送信号の安定受信を可能としている。
【０００４】
放送信号の受信状態が良好か否かを評価する方法としては、例えば、受信した放送信号のＭＥＲ（Modulation  Error  Ratio）値に基づいて評価する方法が知られている（例えば、特許文献１参照）。
【０００５】
ＭＥＲ値は、放送信号に含まれる各キャリアの位相および振幅をＩ軸、Ｑ軸で表したコンスタレーションにおける原点から各キャリアの受信点に対応する理想点までの距離と、各受信点および対応する各理想点のベクトル誤差との比によって求められる。
【０００６】
かかるＭＥＲ値は、受信状態が良好なキャリアほど高い値となるため、例えば、キャリア毎にＭＥＲ値と所定の閾値とを比較することによって、放送信号の受信状態が良好か否かを容易に判定することができる。
【先行技術文献】
【特許文献】
【０００７】
【特許文献１】特開２００９−２３９７５０号公報
【発明の概要】
【発明が解決しようとする課題】
【０００８】
しかしながら、キャリア毎にＭＥＲ値と閾値とを単純に比較するだけでは、スプリアスノイズが重畳したキャリアを高精度に検出することが困難であった。具体的には、スプリアスノイズは、高調波、低調波、寄生振動などによって発生する設計上意図されないノイズである。
【０００９】
かかるスプリアスノイズは、状況によって重畳されるキャリアの帯域が不規則に変化する。また、スプリアスノイズが重畳したキャリアは、状況によってＭＥＲの値が様々である。したがって、キャリア毎にＭＥＲ値と閾値とを単純に比較した場合、スプリアスノイズが重畳したキャリアの検出漏れが発生する恐れがある。
【００１０】
実施形態の一態様は、上記に鑑みてなされたものであって、スプリアスノイズが重畳したキャリアを高精度に検出することができる受信装置および受信方法を提供することを目的とする。
【課題を解決するための手段】
【００１１】
実施形態の一態様に係る受信装置は、受信部と、ＭＥＲ算出部と、検出部とを備える。受信部は、ＯＦＤＭ変調された放送信号を受信する。ＭＥＲ算出部は、前記受信部によって受信された前記放送信号のＭＥＲ値を該放送信号のキャリア毎に算出する。検出部は、前記放送信号に含まれるＳＰ信号の電力から推定した前記放送信号の伝送路に応じて変化する電力に基づいて、前記ＭＥＲ値の推定値を前記キャリア毎に算出し、該推定値と前記ＭＥＲ値とに基づいて、スプリアスノイズが重畳したキャリアを検出する。
【発明の効果】
【００１２】
実施形態の一態様によれば、スプリアスノイズが重畳したキャリアを高精度に検出することができる。
【図面の簡単な説明】
【００１３】
【図１】図１は、実施形態に係る受信装置を示す説明図である。
【図２】図２は、実施形態に係る第２ブランチを示す説明図である。
【図３】図３は、実施形態に係るＭＥＲ値の算出方法の説明図である。
【図４】図４は、実施形態に係るＭＥＲ算出部によって算出されたキャリア毎のＭＥＲ値の一例を示す説明図である。
【図５】図５は、実施形態に係る伝送路電力とＭＥＲ値との関係を示す説明図である。
【図６】図６は、実施形態に係るＩＦＡＧＣの変動に伴うＭＥＲ値の変動を示す説明図である。
【図７】図７は、実施形態に係る検出部によるスプリアスノイズが重畳したキャリアの検出方法の説明図である。
【発明を実施するための形態】
【００１４】
以下、添付図面を参照して、本願の開示する受信装置および受信方法の実施形態を詳細に説明する。なお、以下に示す実施形態によりこの発明が限定されるものではない。
【００１５】
図１は、実施形態に係る受信装置１を示す説明図であり、図２は、実施形態に係る第２ブランチ２ｂを示す説明図である。なお、図２に示す構成要素のうち、図１に示す構成要素と同様の機能を備える構成要素については、図１に示す符号と同一の符号を付している。
【００１６】
図１に示すように、実施形態に係る受信装置１は、ＯＦＤＭ（Orthogonal  Frequency  Division  Multiplexing）変調されたＤＴＶ放送の放送信号をそれぞれ受信する第１ブランチ２ａ、第２ブランチ２ｂ、第３ブランチ２ｃ、および第４ブランチ２ｄを備える。
【００１７】
第２ブランチ２ｂ、第３ブランチ２ｃ、および第４ブランチ２ｄは、図１に一点鎖線矢印で示すように、受信した放送信号を第１ブランチ２ａへ出力する。第１ブランチ２ａは、受信した放送信号と、第２ブランチ２ｂ、第３ブランチ２ｃ、および第４ブランチ２ｄによって受信された放送信号とを合成して出力する。つまり、受信装置１は、４系統の受信系統によって放送信号をダイバーシティ受信する装置である。
【００１８】
また、第１ブランチ２ａ、第２ブランチ２ｂ、第３ブランチ２ｃ、および第４ブランチ２ｄは、それぞれ、受信した放送信号中でスプリアスノイズが重畳したキャリアを検出する検出部１２を備える。
【００１９】
そして、第２ブランチ２ｂ、第３ブランチ２ｃ、および第４ブランチ２ｄは、図１に点線矢印で示すように、検出したスプリアスノイズが重畳したキャリアを示す信号を第１ブランチ２ａへ出力する。
【００２０】
第１ブランチ２ａは、検出したスプリアスノイズが重畳したキャリアと、第２ブランチ２ｂ、第３ブランチ２ｃ、および第４ブランチ２ｄによって検出されたスプリアスノイズが重畳したキャリアの影響を低減することで、放送信号の再現性を向上させる。以下、これら第１ブランチ２ａ、第２ブランチ２ｂ、第３ブランチ２ｃ、および第４ブランチ２ｄの構成の一例について説明する。
【００２１】
図１に示すように、第１ブランチ２ａは、アンテナ３、受信部４、アナログ／デジタル変換部（以下、「Ａ／Ｄ５」と記載する）、ガード加算部６、ＡＧＣ（Automatic  Gain  Controller）７、高速フーリエ変換部（以下、「ＦＦＴ部８」と記載する）を備える。さらに、第１ブランチ２ａは、等化部９、伝送路算出部１０、合成部１１、検出部１２、硬判定部１３、ＭＥＲ算出部１４、誤り訂正部１５、デコーダ１６を備える。
【００２２】
また、図２に示すように、第２ブランチ２ｂは、アンテナ３、受信部４、Ａ／Ｄ５、ガード加算部６、ＡＧＣ７、ＦＦＴ部８、等化部９、伝送路算出部１０、検出部１２、硬判定部１３、ＭＥＲ算出部１４を備える。なお、第３ブランチ２ｃおよび第４ブランチ２ｄは、第２ブランチ２ｂと同様の構成であるため、ここでは、図示を省略する。
【００２３】
また、図１と図２とを対比すると分かるように、第２ブランチ２ｂは、合成部１１、誤り訂正部１５、デコーダ１６を備えていない点、等化部９および検出部１２による信号の出力先が第１ブランチ２ａとは異なる点を除き、第１ブランチ２ａと同様の構成である。
【００２４】
このため、ここでは、第１ブランチ２ａの構成要素について具体的に説明し、第２ブランチ２ｂ、第３ブランチ２ｃ、第４ブランチ２ｄの構成要素については、具体的な説明を省略する。
【００２５】
受信部４は、アンテナ３によって受信される高周波数（RF：Radio  Frequency）の放送信号を検波して中間周波数（IF：Intermediate  Frequency）の放送信号へ変換し、Ａ／Ｄ５へ出力する処理部である。また、Ａ／Ｄ５は、受信部４からのアナログの放送信号をデジタルの放送信号へ変換してガード加算部６およびＡＧＣ７へ出力する処理部である。
【００２６】
ＡＧＣ７は、自動利得調整を行う処理部であり、Ａ／Ｄ５から入力される中間周波数の放送信号の強弱に応じて、出力が所定範囲に収まるように利得（増幅レベル）を自動調整する。そして、ＡＧＣ７は、調整した増幅レベルを示す値（以下、「ＩＦＡＧＣ：Intermediate  Frequency  Automatic  Gain  Control」と記載する）を受信部４へフィードバックすると共に、ＩＦＡＧＣを検出部１２へ出力する。
【００２７】
ガード加算部６は、Ａ／Ｄ５から入力される放送信号に含まれる有効シンボルの先頭に付加されたガードインターバルを有効シンボルの後尾部分へ加算して平均化（１／２倍）するガード加算を行う処理部である。
【００２８】
ここで、ガードインターバルは、有効シンボルの後尾部分を複製して有効シンボルの先頭に付加されたデータである。したがって、ガード加算部６は、仮に有効シンボルにおける後尾部分のデータが何らかの原因によって破損していても、かかるガード加算を行うことでデータを修復することができる。ガード加算部６は、ガード加算後の放送信号をＦＦＴ部８へ出力する。
【００２９】
ＦＦＴ部８は、ガード加算部６から入力される時間領域の放送信号をＦＦＴ（Fast  Fourier  Transform；高速フーリエ変換）することによって、周波数領域の放送信号へ変換する処理部である。かかるＦＦＴ部８は、変換した周波数領域の放送信号を伝送路算出部１０および等化部９へ出力する。
【００３０】
伝送路算出部１０は、ＦＦＴ部８から入力される放送信号のキャリア（搬送波）毎に、各キャリアが伝送路で受けた影響に応じて変化する電力値（以下、「伝送路電力」と記載する）を算出する処理部である。かかる伝送路算出部１０は、放送信号に含まれる送信時の位相および振幅が既知のＳＰ（Scattered  Pilot）信号に基づき、各キャリアの伝送路電力を推定する。
【００３１】
具体的には、送信時のＳＰ信号（ここでは、「送信ＳＰ」と記載する）は、所定周波数のキャリア毎に放送信号へ挿入される信号であり、複素数表現した場合、Ｉ（実数）成分が「１」、Ｑ（虚数）成分が「０」ということが既知の信号である。
【００３２】
かかる送信ＳＰは、伝送路を伝送中にノイズや反射等の影響を受ける。このため、受信時のＳＰ信号（ここでは、「受信ＳＰ」と記載する）は、Ｉ成分およびＱ成分が送信ＳＰとは異なる値をとる。ここで、送信ＳＰをＸｓｐ＝ａｓｐ＋ｉｂｓｐ、伝送路応答をＨとした場合、受信ＳＰは、Ｈ（ａｓｐ＋ｉｂｓｐ）により得られる。
【００３３】
このとき、送信ＳＰのＩ成分は、ａｓｐ＝１、Ｑ成分は、ｂｓｐ＝０と既知であるため、伝送路算出部１０は、受信ＳＰのＩ成分をＡ、Ｑ成分をＢとした場合、Ｈ（１＋ｉ×０）＝Ａ＋ｉＢなる式から受信ＳＰの伝送路応答を算出することができる。伝送路算出部１０は、こうして算出した伝送路応答に基づいて伝送路電力を算出する。
【００３４】
さらに、伝送路算出部１０は、各受信ＳＰの伝送路応答を算出し、各受信ＳＰの間を補間した関数に基づいて各キャリアの伝送路応答を推定し、推定した伝送路応答に基づいて各キャリアの伝送路電力を算出する。そして、伝送路算出部１０は、算出した伝送路電力を等化部９、および、検出部１２へ出力する。
【００３５】
等化部９は、伝送路算出部１０から入力される伝送路電力に基づいて、ＦＦＴ部８から入力される放送信号を補正する等化処理を行い、等化処理後の放送信号を合成部１１へ出力する処理部である。
【００３６】
なお、かかる等化処理までの処理は、第２ブランチ２ｂ、第３ブランチ２ｃ、および第４ブランチ２ｄにおいても並行して行われる。そして、第２ブランチ２ｂ、第３ブランチ２ｃ、および第４ブランチ２ｄの等化部９は、等化処理後の放送信号を硬判定部１３へ出力すると共に、第１ブランチ２ａの合成部１１へ出力する。
【００３７】
合成部１１は、第１ブランチ２ａの等化部９から入力される放送信号と、第２ブランチ２ｂ、第３ブランチ２ｃ、および第４ブランチ２ｄから入力される放送信号とを合成する処理部である。
【００３８】
具体的には、合成部１１は、等化部９から入力される放送信号を所定の保持期間の間保持しつつ、硬判定部１３へ出力する。その後、合成部１１には、保持期間に、検出部１２からスプリアスノイズが重畳したキャリアの検出結果を示す信号が入力される。
【００３９】
また、合成部１１には、第２ブランチ２ｂ、第３ブランチ２ｃ、および第４ブランチ２ｄの検出部１２からもスプリアスノイズが重畳したキャリアの検出結果を示す信号が入力される。なお、検出部１２によるスプリアスノイズが重畳したキャリアの検出方法については、図５〜図７を参照して後述する。
【００４０】
そして、合成部１１は、保持期間が経過した後、複数の放送信号をキャリア毎に合成する場合、４つの検出部１２から入力される信号に基づいて、スプリアスノイズが重畳したキャリアを含む放送信号が合成後の放送信号に占める割合を低減させる。例えば、第２ブランチ２ｂから入力される放送信号にスプリアスノイズが重畳したキャリアが含まれる場合、合成部１１は、第２ブランチ２ｂから入力される放送信号が合成後の放送信号に占める割合を、他のブランチによって受信された放送信号よりも低減させる。
【００４１】
つまり、合成部１１は、スプリアスノイズが重畳していないキャリアを優先的に用いて４つの放送信号を合成する。したがって、合成部１１は、スプリアスノイズによる放送信号の劣化を抑制することにより、放送信号の再現性を向上させることができる。かかる合成部１１は、合成後の放送信号を硬判定部１３へ出力する。
【００４２】
硬判定部１３は、合成部１１から入力される放送信号に対して硬判定処理を行う処理部である。具体的には、硬判定部１３は、放送信号の各キャリアに対応した受信点を同相成分軸（Ｉ軸）および直交成分軸（Ｑ軸）であらわした周波数領域のコンスタレーション上へデマッピングする。
【００４３】
かかる放送信号の各受信点は、伝送路で受けたノイズや反射、スプリアスノイズ等の影響が低いほどコンスタレーション上の各マッピング枠の理想点から近い位置へデマッピングされる。硬判定処理部１３は、硬判定後の放送信号を誤り訂正部１５へ出力すると共に、デマッピングした各受信点のコンスタレーションにおける位置情報をＭＥＲ算出部１４へ出力する。
【００４４】
ＭＥＲ算出部１４は、硬判定部１３から入力される各受信点のコンスタレーションにおける位置情報に基づいて、キャリア毎に放送信号のＭＥＲ（Modulation  Error  Ratio）値を算出する。
【００４５】
ここで、図３および図４を参照し、ＭＥＲ算出部１４によるＭＥＲ値の算出方法の一例について説明する。図３は、実施形態に係るＭＥＲ値の算出方法の説明図であり、図４は、実施形態に係るＭＥＲ算出部１４によって算出されたキャリア毎のＭＥＲ値の一例を示す説明図である。
【００４６】
ここでは、図３に示すように、あるキャリアの受信点Ｐのコンスタレーションにおける座標が（Ｉ１、Ｑ１）、受信点Ｐに対応する理想点Ｐｉのコンスタレーションにおける座標が（Ｉｉｄ、Ｑｉｄ）であった場合について説明する。
【００４７】
かかる場合、ＭＥＲ算出部１４は、コンスタレーションにおける理想点Ｐｉの位置ベクトルｐｉの長さ、つまり、コンスタレーションにおける原点から理想点Ｐｉまでの距離を算出する。かかる原点から理想点Ｐｉまでの距離は、下記の数式（１）によって求めることができる。
【００４８】
【数１】
2014199996.tif 000003
【００４９】
続いて、ＭＥＲ算出部１４は、コンスタレーションにおける受信点Ｐの位置ベクトルｐと、理想点Ｐｉの位置ベクトルｐｉとの誤差ベクトルδ：（δＩ、δＱ）の長さを算出する。ここで、δＩ＝Ｉ１−Ｉｉｄであり、δＱ＝Ｑ１−Ｑｉｄである。そして、誤差ベクトルδの長さは、下記の数式（２）によって求められる。
【００５０】
【数２】
2014199996.tif 000004
【００５１】
そして、ＭＥＲ算出部１４は、上記した数式（１）および数式（２）の演算結果を用いて、キャリア毎にＭＥＲ値を算出する。ＭＥＲ値は、下記の数式（３）によって求められる。
【００５２】
【数３】
2014199996.tif 000005
【００５３】
こうして算出されるＭＥＲ値は、値が大きいほど放送信号の受信状態が良好なことを示すものである。したがって、伝送路やスプリアスノイズの影響によって受信状態が悪化しているキャリアのＭＥＲ値ほど小さな値となる。
【００５４】
ただし、スプリアスノイズが重畳したキャリアのＭＥＲ値は、状況によって様々な値となる。しかも、スプリアスノイズは、状況によって重畳されるキャリアの帯域が不規則に変化する。
【００５５】
このため、ＭＥＲ算出部１４によって、例えば、図４に示すようなキャリア毎のＭＥＲ値が算出される場合がある。なお、図４では、放送信号の受信状態が悪化しているキャリアを視覚的に認識し易くする観点から、縦軸に−（マイナス）ＭＥＲ値、横軸に各キャリアに対応するキャリア番号をとっている。つまり、図４では、ＭＥＲ値を示す波形の波高が高いほど、ＭＥＲ値が小さく、受信状態が悪いＭＥＲ値であることを示している。また、後に説明する図５〜図７についても、同様に、縦軸に−ＭＥＲ値、横軸にキャリア番号をとっている。
【００５６】
ここで、図４に点線枠で囲まれた部分がスプリアスノイズの影響で値が小さくなったＭＥＲ値の波形部分であるとする。かかる場合に、例えば、図４に一点鎖線で示す閾値ｔｈを用いて、スプリアスノイズが重畳したキャリアの検出を試みると、図４に示す右側の点線枠で囲まれた部分については、検出することができる。しかし、他の２つの点線枠で囲まれた部分については、スプリアスノイズが重畳したキャリアの検出漏れが発生する。
【００５７】
また、３つの点線枠で囲まれた部分を全て検出することができるように、閾値ｔｈの値を大きく（図４では低く）した場合、スプリアスノイズの影響を受けたキャリアでないキャリアまで、スプリアスノイズの影響を受けたキャリアとして誤検出することになる。そこで、受信装置１では、ＭＥＲ算出部１４から検出部１２へ算出したＭＥＲ値を出力させ、検出部１２によってスプリアスノイズの影響を受けたキャリアを高精度に検出させる。
【００５８】
かかる検出部１２は、伝送路の影響が反映され、且つ、スプリアスノイズの影響が排除されたＭＥＲ値の推定値（以下、「推定ＭＥＲ値」と記載する）を算出する。そして、検出部１２は、ＭＥＲ算出部１４から入力されるＭＥＲ値と推定ＭＥＲ値との差分に基づいて、スプリアスノイズの影響を受けたキャリアを検出する。
【００５９】
以下、図５〜図７を参照し、検出部１２によるスプリアスノイズが重畳したキャリアの検出方法について説明する。図５は、実施形態に係る伝送路電力とＭＥＲ値との関係を示す説明図であり、図６は、実施形態に係るＩＦＡＧＣの変動に伴うＭＥＲ値の変動を示す説明図である。また、図７は、実施形態に係る検出部１２によるスプリアスノイズが重畳したキャリアの検出方法の説明図である。
【００６０】
検出部１２は、下記の数式（４）によって、推定ＭＥＲ値を算出する。
【００６１】
【数４】
2014199996.tif 000006
【００６２】
上記した数式（４）におけるＡ、Ｂ、Ｃは、予め試験を行うことによって決定される定数である。例えば、定数Ａを決定する場合、受信条件を様々に変化させながら受信装置１によって放送信号を受信させる試験を行い、各受信条件で算出される伝送路電力とＭＥＲ値を取得する。
【００６３】
そして、図５に示すように、縦軸に−ＭＥＲ値、横軸に伝送路電力をとった座標系に、算出した伝送路電力に対応するＭＥＲ値を点としてプロットする。かかる図５から、ＭＥＲ値は、伝送路の影響によって伝送路電力が小さくなるにつれて、悪化する（小さくなる）傾向があることが分かる。
【００６４】
また、図５に示すＭＥＲ値をプロットした点の集合の中で、所々点の集合から大きく離れた位置にプロットされるＭＥＲ値の点は、スプリアスノイズの影響を受けたキャリアのＭＥＲ値である可能性が高い。
【００６５】
そこで、図５に示すように、座標系にプロットされた点の集合から大きく離れた位置にプロットされた点を除外した上で、点の集合を近似した直線を算出する。そして、算出した直線の傾きとなる負の係数を数式（４）の定数Ａとして決定する。これにより、スプリアスノイズの影響を排除したＭＥＲ値を算出可能な下記の数式（５）を得ることができる。
【００６６】
【数５】
2014199996.tif 000007
【００６７】
ここで、仮にＩＦＡＧＣの変動がなければ、上記数式（５）に、ＳＰ信号の電力から推定した伝送路電力を代入することで、伝送路の影響が反映され、且つ、スプリアスノイズの影響が排除された推定ＭＥＲ値を算出することができる。
【００６８】
ただし、受信装置１の実使用時には、受信状態に応じてＩＦＡＧＣが変動する。ＩＦＡＧＣが変動する場合、受信される放送信号自体が持つ伝送路電力に変化がなくても、ＳＰ信号に基づいて推定される伝送路電力は、ＩＦＡＧＣの変動に伴って変動する。
【００６９】
したがって、例えば、ＡＧＣ７によって放送信号が増幅されると、図６に示すように、
放送信号の正確なＭＥＲ値を示す波形が実線で示す波形である場合に、推定ＭＥＲ値を示す波形は、点線で示す波形のように、実線の波形よりも波高が小さくなる。つまり、推定ＭＥＲ値として、実際よりも受信状態が良好な値が算出されることになる。
【００７０】
そこで、検出部１２は、ＩＦＡＧＣの変動を考慮した上記数式（４）によって推定ＭＥＲ値を算出する。数式（４）中のＩＦＡＧＣへ掛けられる定数Ｂを決定する場合には、例えば、受信装置１による放送信号の受信中に、ＩＦＡＧＣの値を順次変化させてＭＥＲ値を算出する試験を行う。そして、ＩＦＡＧＣの変動量と、ＭＥＲ値の変化量との相関関係に基づいて、適切な値を定数Ｂとして決定する。また、数式（４）中の定数Ｃについては、定数Ｃの値を順次変更しながら上記した試験を行い、推定ＭＥＲ値の精度が最も向上した試験で使用された値を定数Ｃとして採用する。
【００７１】
検出部１２は、かかる数式（４）を使用して、伝送路の影響が反映され、且つ、スプリアスノイズの影響が排除された推定ＭＥＲ値を算出する。なお、数式（４）は、推定ＭＥＲ値を算出する数式の一例であり、例えば、下記の数式（６）によって算出してもよい。
【００７２】
【数６】
2014199996.tif 000008
【００７３】
そして、検出部１２は、ＭＥＲ算出部１４から入力されるＭＥＲ値と推定ＭＥＲ値との差分に基づいて、スプリアスノイズが重畳したキャリアを検出する。
【００７４】
例えば、検出部１２には、図７の（ａ）に示すようなキャリア毎に算出されたＭＥＲ値がＭＥＲ算出部１４から入力される。ＭＥＲ算出部１４から入力されるＭＥＲ値は、伝送路の影響およびスプリアスノイズの影響が反映されたＭＥＲ値である。ここで、図７の（ａ）に示すＭＥＲ値の波形のうち、点線枠で囲まれた部分が、スプリアスノイズの影響で値が小さくなった（波高が高くなった）波形部分であるとする。
【００７５】
検出部１２は、ＭＥＲ算出部１４からＭＥＲ値が入力されると、上記した数式（４）へ伝送路算出部１０から入力される伝送路電力と、ＡＧＣ７から入力されるＩＦＡＧＣとを代入して、キャリア毎に推定ＭＥＲ値を算出する。
【００７６】
これにより、検出部１２は、図７の（ｂ）に示すように、伝送路の影響が反映され、且つ、スプリアスノイズの影響が排除された推定ＭＥＲ値をキャリア毎に算出することができる。そして、検出部１２は、ＭＥＲ算出部１４から入力されるＭＥＲ値と、推定ＭＥＲ値との差分をとる処理を行うことによってＭＥＲ値の補正を行う。
【００７７】
これにより、スプリアスノイズの影響を受けたキャリアの補正後のＭＥＲ値は、図７の（ｃ）における点線枠内の波形で示されるように、スプリアスノイズの影響を受けていない他のキャリアの補正後のＭＥＲ値よりも小さく（波高が高く）なる。
【００７８】
そこで、検出部１２は、補正後のＭＥＲ値と図７の（ｃ）に一点鎖線で示す閾値Ｔｈとを比較し、補正後のＭＥＲ値が閾値Ｔｈよりも小さい（図７の（ｃ）では、閾値Ｔｈより波高が高い）キャリアをスプリアスノイズが重畳したキャリアとして検出する。
【００７９】
つまり、検出部１２は、スプリアスノイズの影響が反映され、且つ、伝送路の影響が排除された補正後のＭＥＲ値と閾値Ｔｈとを比較することで、スプリアスノイズが重畳したキャリアを検出する。したがって、検出部１２は、スプリアスノイズが重畳したキャリアを高精度に検出することができる。
【００８０】
かかる検出部１２は、スプリアスノイズが重畳したキャリアを検出した場合、そのキャリアを示す信号を合成部１１および誤り訂正部１５へ出力する。合成部１１は、前述したように、複数の放送信号をキャリア毎に合成する場合に、検出部１２から入力される信号に基づいて、スプリアスノイズが重畳したキャリアを含む放送信号が合成後の放送信号に占める割合を低減させる。ここで、図１へ戻り、受信装置１の説明を続ける。
【００８１】
誤り訂正部１５は、硬判定部１３から入力される硬判定後の放送信号に対して、例えば、ビタビ復号（Viterbi  decoding）や、リード・ソロモン復号（Reed-Solomon  decoding）等といった誤り訂正処理をキャリア毎に行う処理部である。
【００８２】
かかる誤り訂正部１５は、放送信号のキャリア毎に各キャリアの尤度を算出し、各キャリアの尤度に基づいて、誤り訂正処理を行う。ここで、誤り訂正部１５は、検出部１２からスプリアスノイズが重畳したキャリアを示す信号が入力される場合、スプリアスノイズが重畳したキャリアの尤度を他のキャリアよりも下げて誤り訂正を行う。そして、誤り訂正部１５は、誤り訂正を施した放送信号をデコーダ１６へ出力する。
【００８３】
このように、誤り訂正部１５は、スプリアスノイズの影響によってデータが破損した可能性の高いキャリアについては、他のキャリアよりも尤度を下げて誤り訂正処理を行うので、誤り訂正処理の精度を向上させることができる。
【００８４】
デコーダ１６は、誤り訂正部１５から入力される放送信号をＯＦＤＭ復調してＴＳ（Transport  Stream）信号へ変換し、所定の出力装置へ出力する。なお、ここでの出力装置は、例えば、ＤＴＶ放送の映像を出力するディスプレイや、ＤＴＶ放送の音声を出力するスピーカ等である。
【００８５】
上述したように、実施形態に係る受信装置は、ＯＦＤＭ変調された放送信号を受信する受信部と、受信部によって受信された放送信号に含まれるＳＰ信号の周波数領域における位置に基づいて、放送信号のＭＥＲ値をキャリア毎に算出するＭＥＲ算出部とを備える。
【００８６】
さらに、受信装置は、ＳＰ信号の電力から推定した放送信号の伝送路に応じて変化する電力に基づいて、ＭＥＲ値の推定値をキャリア毎に算出し、ＭＥＲ値の推定値とＭＥＲ値とに基づいて、スプリアスノイズが重畳したキャリアを検出する検出部を備える。
【００８７】
かかる受信装置では、伝送路の影響およびスプリアスノイズの影響が反映されたＭＥＲ値と、伝送路の影響が反映され、且つ、スプリアスノイズの影響が排除されたＭＥＲ値の推定値とを算出することができる。これにより、受信装置は、例えば、ＭＥＲ値とＭＥＲ値の推定値との差分をとることで、スプリアスノイズの影響が反映され、且つ、伝送路の影響が排除されたＭＥＲ値を算出することができる。
【００８８】
したがって、受信装置によれば、例えば、スプリアスノイズの影響が反映され、且つ、伝送路の影響が排除されたＭＥＲ値と所定の閾値とを比較することで、スプリアスノイズが重畳したキャリアを高精度に検出することができる。
【００８９】
また、受信装置は、受信部によって受信される放送信号の電力が適切な範囲に収まるように、受信した放送信号の電力の利得を自動調整するＡＧＣを備える。そして、検出部は、ＡＧＣによって利得が自動調整される場合、ＭＥＲ値、ＭＥＲ値の推定値、および、利得に基づいて、スプリアスノイズが重畳したキャリアを検出する。
【００９０】
したがって、受信装置は、ＡＧＣによる利得の自動調整によって、放送信号の伝送路に応じて変化する電力が変動しても、スプリアスノイズが重畳したキャリアを高精度に検出することができる。
【００９１】
また、受信装置は、放送信号の尤度をキャリア毎に算出し、尤度に基づいて放送信号の誤り訂正をキャリア毎に行う誤り訂正部を備える。そして、誤り訂正部は、検出部によってスプリアスノイズが重畳したキャリアが検出された場合に、スプリアスノイズが重畳したキャリアの尤度を他のキャリアよりも下げて誤り訂正を行う。
【００９２】
したがって、受信装置によれば、スプリアスノイズの影響によってデータが破損した可能性の高いキャリアについては、他のキャリアよりも尤度を下げて誤り訂正を行うことができるので、誤り訂正処理の精度を向上させることができる。
【００９３】
また、受信装置は、受信部、ＭＥＲ算出部、および、検出部を有する複数のブランチと、複数のブランチによって受信される放送信号を合成する合成部とを備える。そして、合成部は、検出部によってスプリアスノイズが重畳したキャリアが検出された場合に、スプリアスノイズが重畳したキャリアを含む放送信号が合成後の放送信号に占める割合を低減させる。
【００９４】
これにより、受信装置は、スプリアスノイズが重畳していないキャリアを優先的に用いて複数の放送信号を合成することができる。したがって、受信装置によれば、スプリアスノイズによる放送信号の劣化を抑制することにより、放送信号の再現性を向上させることができる。
【００９５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９６】
１  受信装置
２ａ  第１ブランチ
２ｂ  第２ブランチ
２ｃ  第３ブランチ
２ｄ  第４ブランチ
３  アンテナ
４  受信部
５  Ａ／Ｄ
６  ガード加算部
７  ＡＧＣ
８  ＦＦＴ部
９  等化部
１０  伝送路算出部
１１  合成部
１２  検出部
１３  硬判定部
１４  ＭＥＲ算出部
１５  誤り訂正部
１６  デコーダ
【図１】
2014199996.tif 000009
【図２】
2014199996.tif 000010
【図３】
2014199996.tif 000011
【図４】
2014199996.tif 000012
【図５】
2014199996.tif 000013
【図６】
2014199996.tif 000014
【図７】
2014199996.tif 000015